(57)【要約】【課題】背表紙の形成が容易で、かつ背表紙の角部の強度が高い製本用表紙である。【解決手段】アルバムに使用する表紙は、表紙用紙と表紙用芯紙と見返しとからなる表裏の表紙の間に、断面Ｕ字状の背表紙１５を一体に形成してなっている。表紙用紙１の中央部に背表紙用芯紙１２を樹脂系接着剤とでんぷん糊とを混合した混合接着剤を使用して接着し、必要に応じて芯紙１２を更に１枚接着して、これら接着された用紙１と芯紙１２とを型により加熱成形して、用紙１と芯紙１２とからなる断面Ｕ字状の背表紙１５を形成した。【選択図】        図４
2004167901.tif 000002
【特許請求の範囲】
【請求項１】
表紙用紙と表紙用芯紙と見返しとからなる表表紙と裏表紙との間に、前記表紙用紙と背表紙用芯紙とからなる断面Ｕ字状の背表紙を一体に形成した製本用表紙において、
前記表裏の表紙用芯紙の間の表紙用紙に背表紙用芯紙を樹脂系接着剤とでんぷん糊とを混合した混合接着剤を用いて接着して、前記接着された背表紙用芯紙と表紙用紙とを型により加熱および加圧して断面Ｕ字状に成形して、前記背表紙を形成したことを特徴とする製本用表紙。
【発明の詳細な説明】
【０００１】
【発明の属する技術分野】
本発明は、アルバムや書籍等に使用する製本用表紙に関するものである。
【０００２】
【従来の技術】
アルバムに使用する表紙、即ちアルバム製本用の表紙として、断面Ｕ字状（コ字状を含む）の背表紙を表表紙と裏表紙との間に一体に形成したものが知られている。このアルバムに使用する表紙は、従来、図５〜７に示すように作製されている。
【０００３】
まず、表紙用紙１の左右位置に表裏の表紙用芯紙（厚紙。例えば厚さ２ｍｍ）２、３を配置し、表紙用紙１の中央部に中芯紙４ａ、外芯紙４ｂ、４ｂ（中程度の厚紙。例えば厚さ０．５ｍｍ）を互いに小間隙を開けて配置して、これらをでんぷん糊を用いて接着し、表紙用紙１の芯紙から突出した周縁の折り返し部１ａは芯紙の端部を包んで内側に折り曲げて芯紙に接着する。
【０００４】
つぎに背表紙用の芯紙４ｂ、４ａ、４ｂを隠すようにこれに中見返し７Ａを接着した後、表紙用芯紙２、３を貼り付けた表紙用紙１を中芯紙４ａの両側で内側に曲げ、図示しないステイプルまたは釘ねじを用いて中芯紙４ａと両側の外芯紙４ｂ、４ｂとを断面Ｕ字状に組み付けて、表紙用紙１の中央部に該用紙１と芯紙４ａ、４ｂ、４ｂとからなる断面Ｕ字状の背表紙６を形成する。
【０００５】
その後、Ｕ字状の背表紙６を図示しない板型の凹孔に挿入して保持し、背表紙用の芯紙４ｂ、４ｂの両側で表紙用芯紙２、３を外側に平に開いて、その状態で表紙用芯紙２、３の各々に見返し７を両面テープで貼り付ければ、背表紙６の左右位置に表紙用紙１と芯紙２、３と見返し７、７とからなる表裏の表紙８、９が形成され、アルバム製本用の表紙、つまりアルバムの表紙１０が得られる。
【０００６】
なお、表裏の表紙８、９と背表紙６との間には芯紙が入っていないことにより凹状の開き溝１１が自動的に形成される。
【０００７】
【発明が解決しようとする課題】
上記の説明から明らかなように、従来のアルバムに使用する表紙１０では、背表紙６を形成するのに表紙用紙１に糊付けした３枚の背表紙用芯紙４ａ、４ｂ、４ｂをステイプル等で止めて断面Ｕ字状に組み付けることを要しており、背表紙６の形成に大きな手間とコストがかかる問題があった。
【０００８】
また背表紙６の角部は、図８に示すように、中芯紙４ａと外芯紙４ｂとの間隙を表紙用紙１で繋いでいるだけなので強度が弱く、背表紙６の角部が容易にへたったり、潰れたり、すり切れたりして、長期間の使用に耐えない問題もあった。
【０００９】
このような問題は、背表紙用の芯紙をＵ字状の背表紙の背のところにだけ１枚使用したタイプの表紙においても同様に生じる。
【００１０】
また以上の問題は、ハードカバー本あるいはスケッチブックなど各種の製本用表紙においても同様に生じる。
【００１１】
したがって、本発明の課題は、背表紙の形成が容易で、かつ背表紙の角部の強度が高い製本用表紙を提供することである。
【００１２】
【課題を解決するための手段】
上記課題を解決するために、本発明は、表紙用紙と表紙用芯紙と見返しとからなる表表紙と裏表紙との間に、前記表紙用紙と背表紙用芯紙とからなる断面Ｕ字状の背表紙を一体に形成した製本用表紙において、
前記表裏の表紙用芯紙の間の表紙用紙に背表紙用芯紙を樹脂系接着剤とでんぷん糊とを混合した混合接着剤を用いて接着して、前記接着された背表紙用芯紙と表紙用紙とを型により加熱および加圧して断面Ｕ字状に成形して、前記背表紙を形成したことを特徴とする。
【００１３】
本発明の製本用表紙によれば、表紙用紙と背表紙用芯紙とを接着するのに樹脂系接着剤とでんぷん糊とを混合した混合接着剤を使用し、樹脂系接着剤により表紙用紙と背表紙用芯紙との高い接着性を得、でんぷん糊により表紙用紙と背表紙用芯紙とを接着した複合体の良好な成形性を得るようにしたので、型による加熱成形で表紙用紙と芯紙とからなる断面Ｕ字状の背表紙を容易に形成することができ、背表紙の形成に大きな手間とコストがかかることがない。また背表紙の角部にも芯紙が入っているので角部の強度が強く、この表紙を用いた例えばアルバムは、使用により表紙の角部がへたったり、潰れたり、すり切れたりするのを防ぐことができ、長期間の使用に耐える高耐久なものとすることができる。
【００１４】
【発明の実施の形態】
以下、本発明の一実施の形態を図面に基づいて詳述する。
【００１５】
図１は、本発明の製本用表紙の一実施の形態を示す斜視図である。本実施の形態では、アルバム製本用の表紙、つまりアルバムに使用する表紙を示す。
【００１６】
このアルバムに使用する表紙１０は、従来と同様な基本構造を備え、表紙用紙１と表紙用芯紙２、３と見返し１７、１７とからなる表裏の表紙８、９の間に、断面Ｕ字状（コ字状を含む）の背表紙１５を一体に形成してなっている。
【００１７】
本発明では、表紙用紙１に背表紙用芯紙１２を樹脂系接着剤とでんぷん糊とを混合した混合接着剤を用いて貼り付けて、この背表紙１５を型による加熱成形で形成した。
【００１８】
本発明を図２〜図３により表紙の作製方法に従って詳述すると、まず、先の図４と同様、表紙用紙１の左右の位置に表紙用芯紙（厚紙。例えば厚さ２ｍｍ）２、３を配置し、表紙用紙１の中央部に背表紙用の芯紙を配置して、これらを用紙１に接着するが、本発明では、図２に示すように、背表紙用芯紙として１枚の幅広の芯紙（中程度の厚紙。例えば厚さ０．５ｍｍ）１２を使用し、これを混合接着剤を用いて接着する。芯紙１２は表紙用芯紙２、３と小間隙を開けて配置する。表紙用芯紙２、３は従来通りでんぷん糊で接着する。表紙用紙１の芯紙２、３、１２から突出した周縁の折り返し部１ａは、それぞれ芯紙２、３、１２の端部を包んで内側に折り曲げて芯紙２、３、１２に接着する。
【００１９】
必要に応じて背表紙用の芯紙１２をさらに１枚、表紙用紙１の中央部に先に貼り付けた芯紙１２の上から混合接着剤を用いて接着する。芯紙１２は上記と同様表紙用芯紙２、３と間隙を開けて配置する。なお、背表紙用芯紙１２は最初の１枚だけでもよく、さらには３枚以上用いてもよい。
【００２０】
混合接着剤はロールコーター等を用いて芯紙１２の片面に塗工する。この表紙用紙１とこれに重ねて貼り付けた２枚の芯紙１２との複合体１３は、図３に示すように、加熱成型機を用いて断面Ｕ状に成形する。
【００２１】
ここで、表紙用芯紙１２の接着には、前記したように、樹脂系接着剤とでんぷん糊とを混合した混合接着剤を使用した。これは、樹脂系接着剤により表紙用紙１と芯紙１２との高い接着性を得、でんぷん糊により複合体１３の断面Ｕ状の加熱成形時に良好な成形性を得るためである。本発明では、表紙用紙１に背表紙用芯紙１２を接着するのに、このような樹脂系接着剤とでんぷん糊とを混合した接着剤を用いることにより、加熱成形で表紙用紙１と芯紙１２とからなる断面Ｕ字状の背表紙が形成可能になった。
【００２２】
樹脂系接着剤としては、例えばポリ酢酸ビニル系、フェノール樹脂系、尿素樹脂系、メラミン樹脂系、ポリエステル樹脂系、ポリウレタン樹脂系、エポキシ樹脂系、ポリビニルアルコール系、ポリビニルブチラール系、ニトロセルロース系の接着剤を用いることができる。
【００２３】
樹脂系接着剤とでんぷん糊の混合比は、樹脂系接着剤の種類にもよるが、でんぷん糊１００部（重量部。以下同じ）に対し樹脂系接着剤２０〜５００部程度が好ましく、より好ましくは樹脂系接着剤５０〜３００部、さらに好ましくは樹脂系接着剤１００〜２５０ｇ程度である。樹脂系接着剤が２０部未満であると、表紙用紙１と芯紙１２との高い接着性を得ることができず、アルバムの使用中に背表紙に剥がれが生じる恐れがある。逆に樹脂系接着剤が５００部を超えると、でんぷん糊の量が少なくなって良好な成形性が得られにくくなり、また混合接着剤のコストが高くなる。
【００２４】
背表紙用芯紙１２に対する混合接着剤の塗工量は、芯紙１ｍ２当たり１０〜２００ｇ程度がよく、より好ましくは約５０〜１５０ｇである。芯紙１２に対する混合接着剤の量が１０ｇ／ｍ２未満では、少なすぎて十分な成形性を得ることができず、逆に１５０ｇ／ｍ２を超えると、多すぎて用紙１と芯紙１２との間に成形時に滑りが生じて同様に良好な成形ができない。
【００２５】
本実施の形態では、ポリ酢酸ビニル系接着剤（ポリ酢酸ビニルのエマルジョン接着剤。木工用の接着剤「ボンド」として市販）を使用し、その混合比をでんぷん糊１００部に対し２００部とした。背表紙用芯紙１２への混合接着剤の塗工量は１００ｇ／ｍ２とした。
【００２６】
つぎに図３に示すように、内側の背表紙用芯紙１２を上側にして加熱成型機の下型５ｂに支持した表紙用紙１と２枚の芯紙１２との複合体１３に対し上型５ａを垂下して、断面Ｕ字状の成形面を有する上型５ａと下型５ｂとで複合体１３を挟持し、複合体１３を加圧してＵ状に曲げる。それと同時に上型５ａまたは下型５ｂに備えたヒータにより上型５ａまたは下型５ｂを介して複合体１３を約１８０〜２００℃で１０〜２０秒、多くても３０秒間加熱して、用紙１と芯紙１２および芯紙１２同士の間の混合接着剤を固化し、複合体１３を断面Ｕ状に硬化し成形する。これにより、表紙用紙１の中央部に該用紙１と２枚の芯紙１２とからなる断面Ｕ字状の背表紙１５が形成される。得られた背表紙１５の断面図を図４に示す。
【００２７】
その後、Ｕ字状の背表紙１５を図示しない板型の凹部に挿入して保持し、背表紙用の芯紙１２の両側で表紙用芯紙２、３を外側に平に開いて、その状態で表紙用芯紙２、３の各々に見返し１７を両面テープで貼り付ければ、背表紙１５の左右位置に表紙用紙１と芯紙２、３と見返し１７、１７とからなる表裏の表紙８、９が形成され、アルバム製本用の表紙、つまりアルバムの表紙１０が得られる。表紙１０の表裏の表紙８、９は、背表紙１５との間の凹状の開き溝１１のところから開く。
【００２８】
上記の表紙１０を用いてアルバムを作製するには、例えばつぎのようにすればよい。上記の見返し１７は、内側の縁部１７ａが背表紙１５の位置まで突出する大きさに形成されていて、その縁部１７ａに設けた図示しない孔にツインリング等の台紙係止手段が取り付けられている。この係止手段にアルバムの台紙を取り付ければアルバムが完成する。なお、アルバムの作製法は種々の方法があり、この方法に限られない。
【００２９】
本実施の形態の表紙は、以上のように構成され、樹脂系接着剤とでんぷん糊とを混合した混合接着剤を使用し、樹脂系接着剤により表紙用紙１と背表紙用芯紙１２との高い接着性を得、でんぷん糊により表紙用紙１と背表紙用芯紙１２とを接着した複合体１３の良好な成形性を得るようにしたので、型による加熱成形で表紙用紙１と背表紙用芯紙１２とからなる断面Ｕ字状の背表紙１５を容易に形成することができ、背表紙の形成に大きな手間とコストがかかることがない。また背表紙１５の角部にも芯紙１２が入っているので角部の強度が強い。したがって、この表紙１０を用いたアルバムは、使用により表紙１０の角部がへたったり、潰れたり、すり切れたりするのを防ぐことができ、長期間の使用に耐える高耐久性なものとすることができる。
【００３０】
以上の実施の形態では、見返し１７を表紙用芯紙２、３に個々に貼り付けたが、１枚ものの見返しを表紙用芯紙２、３およびその間の背表紙用芯紙１２の全体に亘って貼り付けるようにしてもよい。
【００３１】
また以上の実施の形態では、製本用表紙としてアルバムに使用する表紙の場合を例にとって説明したが、本発明はこれに限られず、ハードカバー本やスケッチブックなど種々の製本用表紙に適用することができ、同様な効果を奏する。
【００３２】
【発明の効果】
以上の説明から明らかなように、本発明の製本用表紙によれば、表紙用紙に背表紙用芯紙を接着するのに樹脂系接着剤とでんぷん糊とを混合した混合接着剤を用いたので、表紙用紙に対し１枚の背表紙用芯紙を使用して、型による加熱成形で表紙用紙と芯紙とからなる断面Ｕ字状の背表紙を容易に形成することができ、背表紙の形成に大きな手間とコストがかかることがない。また背表紙の角部の強度が強く、高耐久性を有する。
【図面の簡単な説明】
【図１】本発明の一実施の形態に係るアルバムの製本用表紙の部分を示す斜視図である。
【図２】図１の表紙の作製法の一部を示す平面図である。
【図３】図２の作製法の続きを示す断面図である。
【図４】図１の表紙における背表紙を示す断面図である。
【図５】従来のアルバムの製本用表紙の作製法を示す平面図である。
【図６】図４の作製法の続きを示す平面図である。
【図７】従来の作製法で作製されたアルバムの製本用表紙の部分を示す斜視図である。
【図８】図７の表紙における背表紙の断面図である。
【符号の説明】
１    表紙用紙
２、３      表紙用芯紙
５ａ、５ｂ  型
８    表表紙
９    裏表紙
１０  表紙
１２  背表紙用芯紙
１３  複合体
１５  背表紙
１７  見返し
【図１】
2004167901.tif 000003
【図２】
2004167901.tif 000004
【図３】
2004167901.tif 000005
【図４】
2004167901.tif 000006
【図５】
2004167901.tif 000007
【図６】
2004167901.tif 000008
【図７】
2004167901.tif 000009
【図８】
2004167901.tif 000010